(57)【特許請求の範囲】
【請求項１】
第１調製チャンバ要素（３）と、第２調製チャンバ要素（４）とを備え、前記第１調製チャンバ要素（３）と前記第２調製チャンバ要素（４）とが互いに間隔を空けて設けられた装填位置（１７）と、前記第１調製チャンバ要素（３）と前記第２調製チャンバ要素（４）とが閉鎖された調製チャンバ（１’）を形成する抽出位置（１１）との間で、前記第１調製チャンバ要素（３）、および／または、前記第２調製チャンバ要素（４）が軸方向（６）に移動可能でありポーションカプセル（２）を抽出するための調製装置（１）において、
前記第１調製チャンバ要素（３）、および／または、前記第２調製チャンバ要素（４）が前記装填位置（１７）から前記抽出位置（１１）に移動すると、前記ポーションカプセル（２）が、まず、前記第１調製チャンバ要素（３）の少なくとも１つの第１穿孔手段（５）によって穿孔され、次に、前記第２調製チャンバ要素（４）の少なくとも１つの第２穿孔手段（８）によって穿孔され、
前記第１調製チャンバ要素（３）が、中央表面領域（２３）を備える穿孔要素（２２）を有し、前記中央表面領域（２３）が、該中央表面領域（２３）の円周に沿って少なくとも１つの第１穿孔手段（５）に一体に接続される構成であり、
前記装填位置（１７）のとき、前記ポーションカプセル（２）が、前記第１調製チャンバ要素（３）と前記第２調製チャンバ要素（４）との間に装填方向（１８）に供給され、前記装填方向（１８）の向きが、前記調製チャンバ（１’）の中心を通る水平面（７’）に対して直角であり、
前記第１調製チャンバ要素（３）が、前記ポーションカプセル（２）を穿孔する少なくとも１つの第１穿孔手段（５）を有し、前記調製装置（１）が、スペース要素（５０）を有し、該スペース要素（５０）が、前記装填位置（１７）のとき前記第１調製チャンバ要素（３）と前記第２調製チャンバ要素（４）との間に前記ポーションカプセル（２）が供給されると、前記ポーションカプセル（２）と前記少なくとも１つの第１穿孔手段（５）との間の機械的接触が前記スペース要素（５０）によって防止されるように構成され、
前記スペース要素（５０）が、金属片（５１）を備え、該金属片（５１）が、前記第１調製チャンバ要素（３）に固定された第１端部（５２）と、自由端である第２端部（５３）とを有し、前記装填位置（１７）のとき、前記第２端部（５３）が、前記第１調製チャンバ要素（３）から斜めに前記第２調製チャンバ要素（４）の方向に突出し、または、前記装填位置（１７）のとき、前記第１調製チャンバ要素（３）の表面を担持し、前記第１調製チャンバ要素（３）の前記表面が、前記第２調製チャンバ要素（４）と対面し、
前記金属片（５１）が、前記第２調製チャンバ要素（４）の方向に湾曲部を有し、および／または、前記金属片（５１）が、通路穴（５４）を有し、および／または、前記金属片（５１）が、前記装填方向（１８）に平行に配向されていることを特徴とする調製装置（１）。
【請求項２】
前記第１調製チャンバ要素（３）が、前記第２調製チャンバ要素（４）に対面するベース面（９）を有し、前記第１調製チャンバ要素（３）が、複数の第１穿孔手段（５）を有し、前記第１穿孔手段（５）が、前記ベース面（９）の中心点（２０１）の周りに一定の半径を有して調製チャンバ（１’）の中心を通る水平面（７’）より下方に配設されていることを特徴とする請求項１に記載の調製装置（１）。
【請求項３】
前記第１調製チャンバ要素（３）が、前記ポーションカプセル（２）を穿孔する複数の第１穿孔手段（５）を有し、前記第１穿孔手段（５）が、前記第１調製チャンバ要素（３）での第２調製チャンバ要素（４）に対面するベース面（９）の中心点（２０１）の周りで最大２３０度の角度範囲（２０２）内に配設されていることを特徴とする請求項１または請求項２に記載の調製装置（１）。
【請求項４】
前記第１調製チャンバ要素（３）が、少なくとも４つの第１穿孔手段（５）を備えていることを特徴とする請求項１乃至請求項３のいずれか１つに記載の調製装置（１）。
【請求項５】
前記調製装置（１）が、前記第１調製チャンバ要素（３）、および／または、前記第２調製チャンバ要素（４）が前記装填位置（１７）から前記抽出位置（１１）に移動すると、前記第１調製チャンバ要素（３）の複数の第１穿孔手段（５）によって、前記ポーションカプセル（２）が連続して穿孔されるように構成されていることを特徴とする請求項１乃至請求項４のいずれか１つに記載の調製装置（１）。
【請求項６】
前記装填位置（１７）のとき、前記ポーションカプセル（２）が、前記第１調製チャンバ要素（３）と前記第２調製チャンバ要素（４）との間に装填方向（１８）に供給され、前記第１調製チャンバ要素（３）が、前記ポーションカプセル（２）を穿孔する少なくとも１つの第１穿孔手段（５）を有し、前記少なくとも１つの第１穿孔手段（５）の切刃（１９）の向きが、前記装填方向（１８）に対して直角であることを特徴とする請求項１乃至請求項５のいずれか１つに記載の調製装置（１）。
【請求項７】
前記第１調製チャンバ要素（３）が、前記第２調製チャンバ要素（４）に対面する端側に、中央表面領域（２３）を備えている穿孔要素（２２）を有し、前記第１調製チャンバ要素（３）と穿孔要素（２２）とが、前記少なくとも１つの第１穿孔手段（５）によって穿孔された前記ポーションカプセル（２）に抽出液体を供給するための複数の出水口（２４）を前記中央表面領域（２３）に有し、１つの出水口（２４）が、前記少なくとも１つの第１穿孔手段（５）に隣接して配設されていることを特徴とする請求項１乃至請求項６のいずれか１つに記載の調製装置（１）。
【請求項８】
前記第２調製チャンバ要素（４）が、前記ポーションカプセル（２）を受ける中空ベル形要素（１４）を備え、前記中空ベル形要素（１４）のベース領域（１５）が、前記第２穿孔手段（８）によって穿孔された前記ポーションカプセル（２）から抽出液体を出すための少なくとも１つの凹み（１６）を備え、前記第２穿孔手段（８）が、前記凹み（１６）の領域に配設され、前記凹み（１６）が、前記調製チャンバ（１’）から前記抽出液体を除去するための排液チャネル（１３）につながっていることを特徴とする請求項１乃至請求項７のいずれか１つに記載の調製装置（１）。
【請求項９】
前記第１調製チャンバ要素（３）が、穿孔先端（５’）の形態の２つの第１穿孔手段（５）を備え、前記スペース要素（５０）が、前記２つの穿孔先端（５’）の間に少なくとも部分的に配設され、前記装填位置（１７）のとき、前記スペース要素（５０）が、少なくとも前記２つの穿孔先端（５’）の間の領域において前記第１調製チャンバ要素（３）から間隔を空けて設けられ、前記２つの穿孔先端（５’）が、地球の重力場（３９）内に前記水平面（７’）より下方に配設されていることを特徴とする請求項１乃至請求項８のいずれか１つに記載の調製装置（１）。
【請求項１０】
前記スペース要素（５０）が、前記第１調製チャンバ要素（３）に固定され、前記第２調製チャンバ要素（４）の方向に少なくとも部分的に弾性的にプレテンションがかけられること、および／または、前記スペース要素（５０）が、前記抽出位置（１１）のとき前記スペース要素（５０）が前記第１調製チャンバ要素（３）を担持するように構成されていることを特徴とする請求項１乃至請求項９のいずれか１つに記載の調製装置（１）。
【発明の詳細な説明】
【技術分野】
【０００１】
本発明は、第１調製チャンバ要素と、第２調製チャンバ要素とを備え、第１調製チャンバ要素と第２調製チャンバ要素とが互いに間隔を空けて設けられた装填位置と、第１調製チャンバ要素と第２調製チャンバ要素とが実質的に閉鎖された調製チャンバを形成する抽出位置との間で、第１調製チャンバ要素、および／または、第２調製チャンバ要素が軸方向に移動可能でありポーションカプセルを抽出するための調製装置に関する。
【背景技術】
【０００２】
一般に、このタイプの調製装置が知られている。
例えば、欧州特許出願公開第２０７７０８７（Ａ１）号の明細書には、ポーションカプセル用の調製装置であって、ポーションカプセルを受けるためのキャビティを有する受け入れ要素の形態の第２調製チャンバ要素と、キャビティを閉じるための閉鎖要素の形態の第１調製チャンバ要素とを備える調製装置が開示されている。
この場合、閉鎖要素は、ポーションカプセルに抽出液体を導入するための注入装置を備えるのに対して、受け入れ要素は、ポーションカプセルに配設された飲料物質と相互作用する抽出液体をポーションカプセルから除去し、抽出液体を飲み物用の容器に供給して飲料を調製するための抽出装置を備える。
調製装置にポーションカプセルを充填するために、閉鎖要素が受け入れ要素から間隔を空けて設けられた装填位置に移される。
引き続き、ポーションカプセルは、受け入れ要素と閉鎖要素との間の中間空間に挿入され、その後、閉鎖要素は、軸方向に受け入れ要素の方向に変位され、その結果、ポーションカプセルは、受け入れ要素のキャビティ内に挿入される。
抽出位置において、受け入れ要素と閉鎖要素とが、ポーションカプセルを抽出するための実質的に閉鎖された調製チャンバを形成する。
飲料物質は、特に、抽出されるローストコーヒー、または、インスタントコーヒーを含む。
さらに、抽出液体を導入したり、調製チャンバの閉鎖中や閉鎖後に飲料抽出物を出したりするためにポーションカプセルを穿孔する穿孔手段が、このタイプの調製装置に設けられることが知られている。
【０００３】
このような調製装置の欠点は、第１に、ポーションカプセルが均一に穿孔されると、注入装置の領域において、抽出液体の流れが、ポーションカプセルを通って最短ルートに沿って、すなわち、軸方向に対して実質的に平行に比較的高速で流れるため、飲料物質と抽出液体とがわずかしか相互作用しないことである。
カプセルが飲料物質で完全に充填されていない場合、重力により飲料物質がカプセルの下方に滑り落ち、抽出液体が著しく相互作用することなく出口開口の方向に飲料物質を越えて流れる危険性もある。
さらに、調製装置の使用者が装填開口を通して非常に鋭い穿孔手段と接触する場合、使用者が負傷してしまう潜在的危険性もある。
【発明の概要】
【発明が解決しようとする課題】
【０００４】
以上のことから、本発明は、ポーションカプセルを抽出するための調製装置であって、先行技術の欠点がなく、先行技術と比較して飲料物質と抽出液体との間の相互作用が著しく改良されることで、抽出された飲料の味覚の品質を高める調製装置を提供する目的に基づく。
さらに、ポーションカプセルを比較的安全、かつ、エラーなしに挿入可能にすることが意図される。
【課題を解決するための手段】
【０００５】
この目的は、本発明に従って、第１調製チャンバ要素と、第２調製チャンバ要素とを備え、第１調製チャンバ要素と第２調製チャンバ要素とが互いに間隔を空けて設けられた装填位置と、第１調製チャンバ要素と第２調製チャンバ要素とが実質的に閉鎖された調製チャンバを形成する抽出位置との間で、第１調製チャンバ要素、および／または、第２調製チャンバ要素が軸方向に移動可能である、ポーションカプセルを抽出するための調製装置において、第１調製チャンバ要素が、ポーションカプセルを穿孔する少なくとも１つの第１穿孔手段を有し、第１穿孔手段が、地球の重力に沿って、重力場に対して実質的に直角に伸びるとともに調製チャンバの実質的に中心を通る水平面より下方に配設されていることを特徴とする調製装置によって達成される。
【０００６】
ポーションカプセルが水平面より下方に配設される少なくとも１つの第１穿孔手段によって穿孔されるとき、特に、水平面より下方に配設された穿孔穴がポーションカプセルに作られることが有益である。
したがって、例えば、少なくとも１つの穿孔穴を通ってポーションカプセル内に流れる抽出液体は、最短ルート、すなわち、特に、軸方向に厳密に平行な最短ルートでポーションカプセルを通過せず、その代わりに、ポーションカプセルの内部で抽出液体の流れ方向が変化し、散開する。
この場合、抽出液体は、ポーションカプセルを通る軸方向に対して傾斜した角度で流れ、その結果、ポーションカプセルの内部に配設された飲料物質と、抽出動作中にポーションカプセルを通過する抽出液体との間の相互作用距離と相互作用時間とが増大するため、抽出される飲料の味覚の品質が高くなる。
さらに、ポーションカプセルに飲料物質が完全に充填されていなくても、水平面より下方にあるポーションカプセル内に、ひいては、重力により下方に滑り落ちた飲料物質の領域に直接的に抽出液体が導入されるので、飲料物質と抽出液体との間の効率的な相互作用が確保される。
さらに、有益には、この方法では、ポーションカプセルに収容された少ない量の飲料物質を使用しても、先行技術から知られている味覚の品質を得ることができる。
本発明による調製チャンバのさらなる利点は、第１調製チャンバ要素と第２調製チャンバ要素との間にポーションカプセルが導入されると、本発明による調製装置の場合、少なくとも１つの第１穿孔手段がポーションカプセル用の挿入開口から可能な限り間隔を空けて設けられるので、ポーションカプセルが少なくとも１つの第１穿孔手段に対して付着するのを簡単な方法で防止できることである。
さらに、少なくとも１つの第１穿孔手段と挿入開口との間の前記距離が、先行技術と比較して長いことによって、調製装置の使用者が負傷する危険性が大幅に低減される。
【０００７】
本発明のさらなる主題または好ましい展開例によれば、第１調製チャンバ要素は第２調製チャンバ要素に対面するベース面を有し、第１調製チャンバ要素は複数の第１穿孔手段を有し、これらの第１穿孔手段は中心点の周りで最大２３０度の角度範囲内に配設される。
ポーションカプセルに飲料物質が部分的にしか充填されていない場合、ポーションカプセルは、飲料物質が配設されている場所（例えば、重力の影響により飲料物質が滑り落ちている場所）のみ穿孔される。
この場合、最大２３０度の角度範囲により、滑り落ちている飲料物質が、例えば、水平面より上向きに突き出ている場合でも効率的な抽出が確実に得られる（この場合、ポーションカプセルの半分超の飲料物質が充填されている）。
第１調製チャンバ要素は、可能な限り高い処理量の抽出液体を得るために、少なくとも４つの第１穿孔手段を備えることが好ましい。
第１穿孔手段は、軸方向に延伸する平面に対して非対称的に分散して配設されることが好ましい。
この平面は、特に、重力場に対して直角に延伸し、調製チャンバの中心を通る水平面を含む。
第１穿孔手段は、特に、ベース面の中心点の周りに実質的に一定の半径をもつように配設される。
したがって、第１調製チャンバ要素に対面するポーションカプセルの壁は、特に、ポーションカプセルの中心で穿孔されず、ポーションカプセルの縁領域において穿孔されることが有益である。
ポーションカプセルが、例えば、ポーションカプセルのフランジにより、および／または、ポーションカプセルの側壁との接続により、縁領域において特に安定性があるので、ポーションカプセルの材料、特に、ポーションカプセルのカプセルカバーの材料は、穿孔動作中にこの領域での撓みがわずかであるため、より確実かつより簡単な穿孔動作が確保される。
【０００８】
本発明の好ましい実施例によれば、第１調製チャンバ要素は、１つの第１穿孔手段を備える。
したがって、ポーションカプセルが挿入開口の領域において穿孔手段に付着したままであるという危険性が効率的に回避されるので、ポーションカプセルの比較的簡単、かつ、確実な挿入が装填位置において確保される。
さらに、単一の穿孔手段が１つしかなく、さらに、この１つの第１穿孔手段が挿入開口から間隔を空けて配設されるので、先行技術と比較すると、調製装置の使用者が負傷する危険性が著しく低減される。
使用者が指を挿入開口内に置く場合、一般に、たとえ困難があったとしても、わずかな困難だけで前記指が第１穿孔手段に達する。
第１穿孔手段は、挿入開口と第１穿孔手段との間に最大距離をもたらすために、重力場において第１調製チャンバ要素の下縁領域に実質的に配設されることが好ましい。
さらに、抽出動作中、１つの第１穿孔手段は、ポーションカプセル内に比較的大きな抽出液体の渦を生成し、相互作用距離が可能な限り長いため、抽出される飲料の味覚の品質に良い影響を与える。
さらに、ポーションカプセルはこのポーションカプセルの下側領域において第１穿孔手段によって穿孔され、飲料物質は、（飲料物質がポーションカプセルに部分的にしか充填されていない場合でも）常に重力の効果によりポーションカプセルの下側領域に位置する。
【０００９】
好ましい展開例によれば、装填位置において、ポーションカプセルは第１調製チャンバ要素と第２調製チャンバ要素との間に装填方向に供給され、装填方向の向きは水平方向に対して実質的に直角である。
したがって、ポーションカプセルは、同時にかかる重力の作用下において調製装置に挿入されることが有益である。
使用者は、特に、ポーションカプセルを落とすだけでよいため、装填動作が実質的に単純化される。
【００１０】
調製装置にポーションカプセルを可能な限り簡単に装填できるようにするために、装填位置にある第１調製チャンバ要素を第２調製チャンバ要素に対して傾斜させることが好ましいと考えられる。
この場合、装填位置から抽出位置への移動は、例えば、軸方向における第１調製チャンバ要素の軸方向変位とともに、第２調製チャンバ要素に平行な第１調製チャンバ要素の枢動を含む。
特に好ましくは、調製チャンバにポーションカプセルが装填された後、調製動作を開始するために、第１調製チャンバ要素は、抽出位置に達するために装填位置から少なくとも軸方向に第２調製チャンバ要素の方向に移動される。
この場合、第１調製チャンバ要素は、好ましくは、１〜４０度の角度、特に好ましくは、１〜２０度、さらに特に好ましくは、１〜１０度の角度で枢動される。
【００１１】
本発明のさらなる主題または好ましい展開例によれば、調製装置は、第１調製チャンバ要素、および／または、第２調製チャンバ要素が装填位置から抽出位置に移動すると、ポーションカプセルが第１調製チャンバ要素の複数の第１穿孔手段によって実質的に連続して穿孔されるように構成されている。
したがって、第１穿孔手段のすべてが同時にポーションカプセルを貫通するわけではないので、第１穿孔手段によってポーションカプセルを穿孔するのに必要な力が有益な方法で低減される。
【００１２】
本発明のさらなる主題または好ましい展開例によれば、調製装置は、第１調製チャンバ要素、および／または、第２調製チャンバ要素が装填位置から抽出位置へ移動すると、ポーションカプセルは、まず、第１調製チャンバ要素の少なくとも１つの第１穿孔手段によって穿孔された後にのみ、第２調製チャンバ要素の少なくとも１つの第２穿孔手段によって穿孔されるように構成されている。
したがって、ポーションカプセルは、まず、第１調製チャンバ要素の側で穿孔された後でのみ、第２調製チャンバ要素の側で穿孔されることが有益である。
したがって、ポーションカプセルの穿孔に必要な全体的な労力を低減できる。
また、第１調製チャンバ要素が複数の第１穿孔手段を有することも考えられる。
【００１３】
本発明のさらなる主題または好ましい展開例によれば、装填位置において、ポーションカプセルは第１調製チャンバ要素と第２調製チャンバ要素との間に装填方向に供給され、第１調製チャンバ要素はポーションカプセルを穿孔する少なくとも１つの第１穿孔手段を有し、少なくとも１つの第１穿孔手段の切刃（ｃｕｔｔｉｎｇ  ｐｌａｎｅ）の向きは装填方向に対して実質的に直角である。
したがって、調製装置の使用者が負傷する危険性が著しく低減されることが有益である。
例えば、装填方向において第１調製チャンバ要素と第２調製チャンバ要素との間の領域に指を移動させる使用者は、切刃（ｃｕｔｔｉｎｇ  ｐｌａｎｅ）に対して垂直に指を動かすので、切り傷を負う危険性が低減される。
特に、装填方向における移動中、指が主に触れるのは切刃のとがっていない側であるので、特に、切刃として構成された少なくとも１つの第１穿孔手段の刃先と指とが直接接触する危険性が低減される。
本発明の文脈において、「実質的に垂直」という用語は、特に、切刃（ｃｕｔｔｉｎｇ  ｐｌａｎｅ）が、少なくとも軸方向に対して垂直な横断方向において、装填方向に対して垂直に延伸することを意味する。
切刃（ｃｕｔｔｉｎｇ  ｐｌａｎｅ）と装填方向との間の角度は、好ましくは、５０〜１３０度、特に好ましくは、７０〜１１０度、さらに特に好ましくは、８０〜１００度の角度を含む。
あるいは、第１調製チャンバ要素は、複数の第１穿孔手段を有する。
【００１４】
好ましい展開例によれば、調製装置は、第１調製チャンバ要素と第２調製チャンバ要素との間に装填方向にポーションカプセルを供給するために設けられた供給開口を有し、好ましくは、少なくとも１つの第１穿孔手段が切刃（ｃｕｔｔｉｎｇ  ｐｌａｎｅ）を有し、この切刃（ｃｕｔｔｉｎｇ  ｐｌａｎｅ）の向きは、装填方向に対して実質的に垂直で、供給開口から最短距離である。
２つ以上の第１穿孔手段が与えられた場合、特に、使用者が負傷する危険性は、ポーションカプセルを調製装置に装填するための供給開口に最も近い位置にある第１穿孔手段の方が残りの第１穿孔手段より高く、したがって、前記少なくとも１つの第１穿孔手段を適切な向きにすることにより、負傷する危険性が実質的に低減される。
【００１５】
好ましい展開例によれば、少なくとも１つの第１穿孔手段が、第１調製チャンバ要素から実質的に第２調製チャンバ要素の方向に突出する穿孔先端として構成される。
少なくとも１つの穿孔先端は、好ましくは、軸方向に、直線または湾曲したデザインの実質的に線形の断面を有することが好ましい。
特に、少なくとも１つの穿孔先端は、軸方向に対して垂直な実質的に三角形の輪郭を有する。
これにより、耐穿孔性が比較的低いので、ほとんど労力をかけることなく比較的簡単な穿孔が可能である。
あるいは、第１調製チャンバ要素は、穿孔先端の形態で各々構成される複数の第１穿孔手段を有する。
【００１６】
好ましい展開例によれば、第１調製チャンバ要素は、第２調製チャンバ要素に対面する端側に中央表面領域を備える穿孔要素を有し、この中央表面領域は、中央表面領域の円周に沿って少なくとも１つの穿孔手段に一体に接続される。
穿孔要素は、特に、座屈により中央表面領域に対して曲げられる少なくとも１つの第１穿孔手段によって作られる。
これにより、少なくとも１つの第１穿孔手段の特に安定した設計、および、固定、ならびに、それらに加えてコスト効率の良い生産が可能になる。
あるいは、穿孔要素は、穿孔先端の形態で各々構成された複数の第１穿孔手段を有する。
【００１７】
好ましい展開例によれば、第１調製チャンバ要素、特に、穿孔要素が、中央表面領域に、少なくとも１つの第１穿孔手段によって穿孔されたポーションカプセルに液体を供給するための少なくとも１つの出水口を有し、出水口は、少なくとも１つの第１穿孔手段に実質的に隣接して配設されることが好ましい。
したがって、抽出液体は、穿孔開口の領域に直接的に調製チャンバ内に導入されることが有益であり、したがって、抽出液体は、ほぼ、圧力損失なしにポーションカプセルに流入し得る。
代替例として、穿孔要素は、調製装置が複数の第１穿孔手段を有するように意図されている場合、第１穿孔手段に隣接して各々配設される複数の出水口を有している。
【００１８】
好ましい展開例によれば、第２調製チャンバ要素が、平面に対して、特に、水平面に対して非対称的に配設された少なくとも１つの第２穿孔手段を有し、この第２穿孔手段が水平面より下方に配設されることが好ましい。
したがって、特に、ポーションカプセルから抽出液体を通す開口が作られることが有益である。
有益な方法において、前記開口は水平面より下方にあるため、上述したように、ポーションカプセルを通って斜めに流れやすくなり、すなわち、抽出液体の流れ方向は、ポーションカプセル内で軸方向に対して傾斜され、したがって、抽出飲料の味覚の品質が高められる。
第２穿孔手段は、例えば、切刃、中空針、または、チャネルが設けられた先端を備えている。
【００１９】
好ましい展開例によれば、第２穿孔手段が貫通先端を備え、この貫通先端は第２調製チャンバ要素から実質的に第１調製チャンバ要素の方向に突出し、この貫通先端に少なくともサブ領域にわたって側溝が設けられることが好ましい。
抽出液体は、溝内において、第２穿孔手段とカプセル材料、特に、ポーションカプセルのカプセルベースの材料との間でポーションカプセルから流出し得るので、ポーションカプセルから出される抽出液体は、側溝によって流れるように促されることが有益である。
【００２０】
好ましい展開例によれば、第２穿孔手段が、特に、ラッチ固定、および／または、ねじ固定によって第２調製チャンバ要素に取り外し可能に連結されている。
したがって、例えば、洗浄やサービスの目的のために、第２穿孔手段の据え付け、および、取り外しが行いやすいことが有益である。
【００２１】
好ましい展開例によれば、第２調製チャンバ要素は、ポーションカプセルを受ける中空ベル形要素を備え、この中空ベル形要素のベース領域が、第２穿孔手段によって穿孔されたポーションカプセルから抽出液体を出すための少なくとも１つの凹みを備え、第２穿孔手段が、凹みの領域に配設されていることが好ましく、凹みが、調製チャンバから抽出液体を除去するための排液チャネルにつながることが好ましい。
凹みは、支持体、および／または、柱状構造体を備えていることが好ましく、その結果として、ポーションカプセルは、凹みの領域において第２調製チャンバ要素から間隔を空けて確実に設けられる。
これにより、カプセルベースによって凹みの断面の縮小が防止され、したがって、抽出液体の流出が常に確保される。
【００２２】
本発明のさらなる主題または好ましい展開例によれば、第１調製チャンバ要素が、ポーションカプセルを穿孔する少なくとも１つの第１穿孔手段を有し、調製装置が、少なくとも１つのスペース要素を有し、このスペース要素が、装填位置において第１調製チャンバ要素と第２調製チャンバ要素との間にポーションカプセルが供給されると、ポーションカプセルと少なくとも１つの第１穿孔手段との間の機械的接触がスペース要素によって防止されるように構成されている。
先行技術による調製装置の場合、装填位置の間、第１調製チャンバ要素と第２調製チャンバ要素との間にポーションカプセルが供給されるとき、ポーションカプセルが少なくとも１つの第１穿孔手段に付着したままであるという危険性、および、ポーションカプセルの正常供給が妨げられるという危険性がある。
本発明による調製装置の場合、ポーションカプセルは、スペース要素によって第１穿孔手段上にこのようにして付着したままであることが効率的に防止されることが有益であり、ポーションカプセルの供給中、スペース要素により、ポーションカプセルが、確実に第１調製チャンバ要素から、および、少なくとも１つの第１穿孔手段から間隔を空けて設けられる。
したがって、ポーションカプセルの正常供給が確保される。
あるいは、第１調製チャンバ要素は、複数の第１穿孔手段、および／または、複数のスペース要素を有している。
【００２３】
好ましい展開例によれば、第１調製チャンバ要素は、２つの穿孔先端の形態の２つの第１穿孔手段を備え、スペース要素は、２つの穿孔先端の間に少なくとも部分的に配設され、装填位置において、スペース要素は、少なくとも２つの穿孔先端の間の領域において第１調製チャンバ要素から間隔を空けて設けられ、２つの穿孔先端は、重力場に水平面より下方に配設されていることが好ましい。
したがって、特に、第１穿孔先端の領域において、スペース要素が第１調製チャンバ要素から間隔を空けて設けられるので、ポーションカプセルが第１穿孔先端に付着したままである危険性はさらに低減されることが有益であり、したがって、ポーションカプセルは、第１穿孔先端と直接的に機械的接触することから保護される。
加えて、これにより、効率的な指保護が実現され、これにより、調製チャンバに達する使用者が、鋭い第１穿孔手段と接触することから保護される。
【００２４】
好ましい展開例によれば、スペース要素は、第１調製チャンバ要素に固定され、第２調製チャンバ要素の方向に少なくとも部分的に弾性的にプレテンションがかけられ、および／または、スペース要素は、抽出位置において、前記スペース要素が第１調製チャンバ要素を実質的に完全に担持するように構成されている。
スペース要素によって抽出動作が損なわれないように、スペース要素は、抽出位置において第１調製チャンバ要素を担持しながら、装填位置において第１調製チャンバ要素から間隔を空けて設けられることが有益である。
これは、スペース要素が、第２調製チャンバ要素の方向に弾性的にプレテンションがかけられ、特に、可撓性のデザインであることによって得られる。
調製チャンバを閉鎖する間、ポーションカプセルは、スペース要素が第１調製チャンバ要素と接触した状態に自動的になるように、第１調製チャンバ要素の方向に押圧される。
【００２５】
好ましい展開例によれば、スペース要素は、金属片（ｍｅｔａｌ  ｓｔｒｉｐ）を備え、この金属片は、第１調製チャンバ要素に固定された第１端部と、自由端である第２端部とを備え、装填位置において、第２端部は、第１調製チャンバ要素から第２調製チャンバ要素の方向に斜めに突出することが好ましく、または、装填位置において、第１調製チャンバ要素の表面を担持し、この表面は、第２調製チャンバ要素に対面する。
装填位置において、第２端部は、スペース要素が、装填位置において少なくとも１つの第１穿孔手段からポーションカプセルをある距離に維持する板ばねのように作用するように、第２調製チャンバ要素の方向に斜めに突出することが有益である。
あるいは、金属片が、さらに、第２調製チャンバ要素の方向に湾曲部を有しているため、ばね作用が高まることが考えられる。
第２端部は、第２調製チャンバ要素の方向に再度斜めに突出してもよく、あるいは、装填位置において第１調製チャンバ要素を担持してもよい。
【００２６】
好ましい展開例によれば、金属片が通路穴を有し、および／または、金属片が、装填方向に実質的に平行に配向されている。
抽出液体は、ポーションカプセルの方向に通路穴を通って流れ、この通路穴は、第１調製チャンバ要素の抽出液体アクセス開口と対向していることが好ましい。
金属片の代替例として、スペース要素が同じ方法で構成されるが、プラスチック材料から製造されることも考えられる。
【００２７】
本発明のさらなる主題は、第１方法ステップにおいて、ポーションカプセルが、第１調製チャンバ要素と第２調製チャンバ要素との間に挿入され、次の第２方法ステップにおいて、第１調製チャンバ要素、および／または、第２調製チャンバ要素が、実質的に軸方向に装填位置から抽出位置に移動され、第２方法ステップ中、ポーションカプセルが、第１調製チャンバ要素の少なくとも１つの第１穿孔手段によって水平面より下方で最初に穿孔された後、ポーションカプセルが、第２調製チャンバ要素の少なくとも１つの第２穿孔手段によって穿孔される調製装置の動作方法である。
したがって、ポーションカプセルは、重力場の下側領域において穿孔されることが有益である。
重力場の影響により、飲料物質は同様に下側領域に滑り落ちる。
したがって、抽出動作中に抽出液体と飲料物質との間の相互作用が効率的になるように、穿孔開口は確実に飲料物質の領域に作られる。
この場合、第１調製チャンバ要素は、１つの第１穿孔手段、または、複数の第１穿孔手段のいずれかを有している。
【００２８】
本発明のさらなる主題または好ましい展開例によれば、第２方法ステップ中、ポーションカプセルは、第１調製チャンバ要素の複数の第１穿孔手段によって連続的に穿孔される。
複数の第１穿孔手段が使用される場合、ポーションカプセルを穿孔し、調製チャンバを閉じるのに必要な労力が低減される。
【００２９】
本発明のさらなる主題または好ましい展開例によれば、第２方法ステップにおいて、ポーションカプセルは、１つの第１穿孔手段によって穿孔される。
したがって、装填位置において、ポーションカプセルの比較的単純で安全な挿入が確保される。
さらに、調製装置の使用者が負傷する可能性が、先行技術と比較して著しく低減される。
第１穿孔手段は、挿入開口と第１穿孔手段との間に最大距離をもたらすために、重力場内に実質的に第１調製チャンバ要素の下縁領域に配設されていることが好ましい。
【００３０】
本発明のさらなる主題または好ましい展開例によれば、第３方法ステップにおいて、水平面より下方にのみ、および／または、最大２３０度の角度範囲内において、ポーションカプセル内に抽出液体が導入されている。
これにより、飲料物質が抽出動作中、飲料物質が位置する場所（例えば、重力の影響により下方に滑り落ちた場所）にのみポーションカプセル内に抽出液体が確実に導入されることが有益である。
したがって、ポーションカプセルは水平面より下方、または、２３０度の角度範囲外に穿孔されるが、抽出液体は、水平面より下方にのみ、および／または、最大２３０度の角度範囲内に導入されることが考えられる。
【００３１】
好ましい展開例によれば、ポーションカプセルのカプセルカバーが少なくとも１つの第１穿孔手段によって穿孔され、ポーションカプセルのカプセルベースが第２穿孔手段によって穿孔される。
【００３２】
本発明のさらなる主題または好ましい展開例によれば、第１方法のステップにおいて、ポーションカプセルは、第１調製チャンバ要素と第２調製チャンバ要素との間に供給される間、スペース要素によって少なくとも部分的に案内され、このスペース要素は、ポーションカプセルと少なくとも１つの第１穿孔手段との間の機械的接触がスペース要素によって防止されるように、第１調製チャンバ要素に固定されている。
有益な方法において、ポーションカプセルは、第１調製チャンバ要素と第２調製チャンバ要素との間に挿入されると、スペース要素によって第１調製チャンバ要素から、特に、少なくとも１つの第１穿孔手段からもある距離に保たれる。
したがって、ポーションカプセルが少なくとも１つの第１穿孔手段に対して付着したままにならないように効率的に防止されるので、挿入動作のエラーが起こりにくくなる。
あるいは、第１調製チャンバ要素は、複数の第１穿孔手段、および／または、複数のスペース要素を有している。
【００３３】
好ましい展開例によれば、第１方法ステップ中、スペース要素は、第１調製チャンバ要素から第２調製チャンバ要素への方向に少なくとも部分的に突出し、第２方法ステップにおいて、スペース要素は、第１調製チャンバ要素と接触状態にされる。
第１調製チャンバ要素が装填位置から抽出位置に移されている間、スペース要素は、抽出動作がスペース要素によって損なわれないように第１調製チャンバ要素の方向に自動的に押圧されることが有益である。
したがって、特に、スペース要素は、抽出位置において調製チャンバ内に突出しない。
この場合、スペース要素は、特に、少なくとも部分的に湾曲した形状が直線形状になる。
【００３４】
本発明のさらなる主題は、調製装置の生産方法であり、第１生産ステップにおいて、中央表面領域と複数の第１穿孔手段とを用いて穿孔要素が打ち抜かれ、第２生産ステップにおいて、第１穿孔要素は、第１穿孔手段が中央表面領域から直角に突出するように曲げ加工によって中央表面領域に対して曲げられ、第３生産ステップにおいて、穿孔要素は第１調製チャンバ要素に接続される。
これにより、特に安定した設計の第１穿孔手段が得られ、第１穿孔手段が第１調製チャンバ要素に確実に固定される。
さらに、調製装置の生産は、特に、コスト効率が良くなる。
穿孔要素は、第１調製チャンバ要素にねじ固定されることが好ましい。
穿孔要素は、特に、シートメタル材料を含む。
好ましくは、第１生産ステップにおいて、穿孔要素には複数の出水口が中央表面領域に設けられ、出水口の各々は第１穿孔要素に隣接して配設されていることが特に好ましい。
第４生産ステップにおいて、少なくとも１つの第２穿孔手段は、第２調製チャンバ要素に接続され、特に、ラッチ接続、および／または、ねじ接続が利用される。
【００３５】
温かい飲料、特に、コーヒー、牛乳、紅茶、および／または、チョコレート飲料を調製するための本発明による調製装置の使用。
【００３６】
本発明は、図面に示された例示的な実施例を参照しながら、以下にさらに詳細に説明される。
これらの図面は、本発明の本質的な概念を制約しない、本発明の例示的な実施例を示しているにすぎない。
【図面の簡単な説明】
【００３７】
【図１ａ】本発明の第１実施例による調製装置の概略断面図。
【図１ｂ】本発明の第１実施例による調製装置の概略断面図。
【図１ｃ】本発明の第１実施例による調製装置の概略断面図。
【図１ｄ】本発明の第１実施例による調製装置の概略断面図。
【図１ｅ】本発明の第１実施例による調製装置の概略断面図。
【図１ｆ】本発明の第１実施例による調製装置の概略断面図。
【図１ｇ】本発明の第１実施例による調製装置の概略断面図。
【図１ｈ】本発明の第１実施例による調製装置の概略断面図。
【図１ｉ】本発明の第１実施例による調製装置の概略断面図。
【図１ｊ】本発明の第１実施例による調製装置の概略断面図。
【図１ｋ】本発明の第１実施例による調製装置の概略断面図。
【図２ａ】本発明の第２実施例による調製装置の第１調製チャンバ要素の概略図。
【図２ｂ】本発明の第２実施例による調製装置の第１調製チャンバ要素の概略図。
【図２ｃ】本発明の第２実施例による調製装置の第１調製チャンバ要素の概略図。
【図３】第３実施例による調製装置の第１調製チャンバ要素の概略断面図。
【図４ａ】本発明の第４実施例による調製装置の第１調製チャンバ要素の概略図。
【図４ｂ】本発明の第４実施例による調製装置の第１調製チャンバ要素の概略図。
【図４ｃ】本発明の第４実施例による調製装置の第１調製チャンバ要素の概略図。
【図４ｄ】本発明の第４実施例による調製装置の第１調製チャンバ要素の概略図。
【図５ａ】本発明の第５実施例による調製装置の第１調製チャンバ要素の概略図。
【図５ｂ】本発明の第５実施例による調製装置の第１調製チャンバ要素の概略図。
【図５ｃ】本発明の第５実施例による調製装置の第１調製チャンバ要素の概略図。
【図６】本発明の第６実施例による調製装置の第１調製チャンバ要素の概略図。
【図７】本発明の第７実施例による調製装置の第１調製チャンバ要素の概略図。
【図８】本発明の第８実施例による調製装置の第１調製チャンバ要素の概略図。
【発明を実施するための形態】
【００３８】
さまざまな図において、同一の部品は、常に同じ参照番号が付与され、したがって、一般に、それぞれの場合において一度しか参照または言及しない。
【００３９】
図１ａから図１ｋは、本発明の第１実施例によるポーションカプセル２を抽出するための調製装置１の概略断面図を示す。
この場合、調製装置１は、受け入れ要素（１４）、または、部分的に中空の中空ベル形要素１４として構成された第２調製チャンバ要素４と、閉鎖要素２１、または、ピストン（２１）として構成された第１調製チャンバ要素３とを備えている。
第１調製チャンバ要素３は、第２調製チャンバ要素４に対して軸方向６に図１ａおよび図１ｋに示す装填位置１７と図１ｆに示す抽出位置１１との間で移動可能である。
【００４０】
ポーションカプセル２は、プラスチックから製造された、カップ状デザインの円錐台３０を備えている。
この円錐台３０は、プラスチック膜、および／または、アルミニウム箔から製造されたカプセルカバー２８によって気密状態に閉じられている。
飲料物質、特に、抽出液体によって抽出されるローストコーヒー粉末が、ポーションカプセル２内に位置している。
ポーションカプセル２は、場合により、カプセルベース２９と飲料物質との間に配設された（場合によっては、カプセルベース２９から間隔を空けて設けられた）フィルタリング要素（図示せず）を有している。
カプセルカバー２８は、カプセルフランジ２７の領域において円錐台３０に接着接合、または、溶接される。
【００４１】
第１調製チャンバ要素３は、第２調製チャンバ要素４に対面する側に穿孔要素２２を有し、穿孔要素２２は、実質的に丸いベース面９を備え、ベース面９の周辺領域上には４つの第１穿孔手段５が、円周方向に形成されている。
この場合、第１穿孔手段５は、第１調製チャンバ要素３のベース面９上の中心点２０１（図８を参照）の周りにほぼ一定の半径を有するように配設され、ベース面９は、第２調製チャンバ要素４に対面している。
第１穿孔手段５の各々は、ベース面９から第２調製チャンバ要素４の方向に突出する穿孔先端５’を備えている。
さらに、４つの出水口２４（図１ａから図１ｋには、視点の理由から見えない）が、ベース面９に形成され、１つの出水口２４が、各穿孔先端５’の近傍にそれぞれ配設されている。
第１穿孔手段５はすべて、地球の重力場３９内で水平面７’として構成される平面７より下方に配設されている。
水平面７’は、調製チャンバ１’の実質的に中心を通って重力場３９に対して実質的に直角に延伸する。
【００４２】
詳細に示していない別の実施例において、調製装置１には、重力場３９内で水平面７’より下方に配設された単一の第１穿孔手段５が１つしかない。
この場合、１つの第１穿孔手段５は、供給開口２０と第１穿孔手段５との間に最大距離をもたらすために、重力場３９内で実質的に第１調製チャンバ要素３の下縁領域に配設されていることが好ましい。
【００４３】
第１調製チャンバ要素３は、給水チャネル３１によって供給される抽出液体が窪み３２を介して４つの出水口２４に分配されるように、第１調製チャンバ要素３と穿孔要素２２との間に形成された窪み３２内に開く給水チャネル３１を有している。
穿孔要素２２は、ねじ３３によって第１調製チャンバ要素３に固定されている。
第２調製チャンバ要素４は、第１調製チャンバ要素３の方向を指す貫通先端８’を備えているとともに、キャビティ内に配設され、かつ、ラッチ固定を介して第２調製チャンバ要素４に取り外し可能に接続される第２穿孔手段８を有している。
貫通先端８’には、軸方向６に平行に延伸する側溝が設けられている。
貫通先端８’の領域において、第２調製チャンバ要素４は、キャビティのベース領域１５に凹み１６を有し、この凹み１６内に排液チャネル１３が通じている。
【００４４】
図１ａは、装填位置１７にある第１調製チャンバ要素３を示し、すなわち、第１調製チャンバ要素３は、第２調製チャンバ要素４から軸方向６に間隔を空けて設けられる。
次いで、装填位置のとき、ポーションカプセル２は、使用者（図示せず）によって装填方向１８に挿入される。
この目的のために、第２調製チャンバ要素４の一部として構成された、調製装置１のハウジングが、供給開口２０を有し、この供給開口２０を通ってポーションカプセル２が挿入される。
【００４５】
図１ｂに示されているように、ポーションカプセル２が重力の影響下で横方向に第１調製チャンバ要素３と第２調製チャンバ要素４との間の領域に落ち（詳細には記載せず）、第１調製チャンバ要素３の位置で保持手段２５（詳細には記載せず）がポーションカプセル２のカプセルフランジ２７と接触して支持することによってポーションカプセル２がこの領域で保持される。
【００４６】
図１ｃを参照しながら示す次のステップにおいて、第１調製チャンバ要素３は、第２調製チャンバ要素４の方向に移動するようにトグル・レバー・ジョイント２６によって駆動される。
【００４７】
図１ｄを参照しながら示されるように、カプセルベース２９が貫通先端８’に触れる直前に、ベース面９が軸方向６に対してほぼ正確に垂直方向に向けられるように、第１調製チャンバ要素３が直立に設定されている。
その後、穿孔先端５’が、カプセルカバー２８に触れる。
【００４８】
図１ｅに示す次のステップにおいて、カプセルカバー２８は、第２調製チャンバ要素４の方向に第１調製チャンバ要素３を連続して移動させることによって、穿孔先端５’として構成された第１穿孔手段５によって穿孔される。
カプセルカバー２８は、水平面７’より下方で第１穿孔手段５によってのみ穿孔される。
この時点では、カプセルベース２９はまだ穿孔されていない。
【００４９】
上述した別の実施例において、カプセルカバー２８は、重力場３９の下側領域において１つの第１穿孔手段５によってのみ穿孔される。
【００５０】
図１ｆにおいて、第１調製チャンバ要素３が、軸方向６において抽出位置１１に第２調製チャンバ要素４まで変位することで、ポーションカプセル２は、中空ベル形要素１４内にほぼ完全に挿入され、その後、カプセルベース２９は、貫通先端８’として構成される第２穿孔手段８によって穿孔される。
したがって、第１調製チャンバ要素３と第２調製チャンバ要素４とが、ポーションカプセル２が配設される密閉された調製チャンバ１’を形成する。
この場合、カプセルフランジ２７は、特に、弾性の密封リング３４によって第１調製チャンバ要素３と第２調製チャンバ要素４との間に固定して締め付けられる。
【００５１】
この位置において、抽出動作が開始され、すなわち、加圧温水の形態の抽出液体が、調製チャンバ１’に供給される。
この抽出液体は、給水チャネル３１と窪み３２とを通って出水口２４に運ばれ、出水口２４から、第１穿孔手段５によって作られる、カプセルカバー２８にある穿孔開口を通って、ポーションカプセル２内に流れる。
抽出液体は、飲料物質を通って流れるため、貫通先端８’によってカプセルベース２９に作られる穿孔穴を通ってポーションカプセル２を離れる飲料抽出物となって、凹み１６を通って排液チャネル１３内に流れる。
排液チャネル１３によって、飲料抽出物は、コーヒーカップなどの飲み物用の容器（図示せず）に直接供給されることが好ましい。
いずれの場合でも、抽出液体は、飲料物質が重力の影響によりポーションカプセル２において下方に滑り落ちたとしても、ポーションカプセル２に配設された飲料物質の領域においてポーションカプセル２を通過する。
【００５２】
抽出動作の後、第１調製チャンバ要素３は、抽出位置１１から軸方向６に平行な装填位置１７に再度戻される。
これは、図１ｇから図１ｊを参照しながら説明される。
このプロセスにおいて、使用済みのポーションカプセル２は、カプセルフランジ２７がイジェクタ３５（詳細には図示せず）と接触状態になるまで、第１調製チャンバ要素３によって再度戻され、その結果、ポーションカプセル２は、保持手段２５との係合が解除され、第１調製チャンバ要素３と第２調製チャンバ要素４との間の領域から重力の影響下で、例えば、収集容器（図示せず）内に自動的に落ちる。
【００５３】
引き続き、第１調製チャンバ要素３は、図１ｋに示すように装填位置１７に再度配置され、したがって、図１ａのように、調製装置１に未使用のポーションカプセル２を新たに充填することが可能である。
【００５４】
図２ａから図２ｃは、本発明の第２実施例による調製装置１の第１調製チャンバ要素３の概略図を示し、第２実施例による調製装置１は、第１実施例による、図１ａから図１ｋに示す調製装置１と実質的に同等である。
第１穿孔手段５は、軸方向６に突出した状態の穿孔先端５’として構成され、穿孔先端５’は、ほぼ、ベース面９の円周に沿って曲げられた線形断面３６を有している。
軸方向６に平行な面において、穿孔先端５’の各々は、穿孔先端５’の刃先の各々が三角形の脚３８によって形成されているので、切刃（ｃｕｔｔｉｎｇ  ｐｌａｎｅ）１９に平行にそれぞれ伸びる三角形プロファイルを有している。
穿孔先端５’の各々は、ベース面９上の中心点２０１の周りにほぼ一定の半径（ベース面９は円形ではなく、わずかに楕円形）を有する軸方向６に対して垂直な平面に配設されている。
打ち抜きプロセスの範囲内において、ベース面９と穿孔先端５’とを有する穿孔要素２２は、シートメタルから打ち抜かれ、穿孔先端５’は、引き続き、穿孔先端５’がベース面９の周辺領域から垂直に突出するように、曲げ加工によってベース面９に対して曲げられている。
穿孔先端５’は、軸方向６に延伸する平面７に対して非対称的に分布されるように周辺領域に沿って分布され、すなわち、第１穿孔手段５は、もっぱら平面７より下方に配設されている。
この場合、平面７は特に水平面７’を備え、この水平面７’は重力場３９、および／または、装填方向１８に対して実質的にほぼ垂直に形成されている。
図２ｃに示す符号４２の矢印は、調製チャンバ１’の方向における抽出液体の流れを示している。
【００５５】
図３は、第３実施例による調製装置１の第１調製チャンバ要素３の概略断面図を示し、第３実施例による調製装置１は、図２ａから図２ｃに示されている第２実施例による調製装置１と実質的に同等であり、第２実施例とは対照的に、第１穿孔手段５、穿孔先端５’は、供給開口２０から最短距離で、装填方向１８、および／または、重力場３９に対して実質的に垂直方向に向けられた切刃（ｃｕｔｔｉｎｇ  ｐｌａｎｅ）１９を有している。
使用者が上方から供給開口２０を通って調製装置１内に入れる指４０は、第１穿孔手段５のとがっていない側面４１に触れるだけであるため、負傷の危険性が著しく低減される。
あるいは、第１穿孔手段５、穿孔先端５’が、水平面７’より下方の供給開口２０から最長距離の位置に配設されることも考えられる。
【００５６】
図４ａから図４ｄは、本発明の第４実施例による調製装置１の第１調製チャンバ要素３の概略図を示し、第４実施例による調製装置１は、図２ａから図２ｃに示されている第２実施例による調製装置１と実質的に同等であり、第２実施例とは対照的に、調製装置１には第１穿孔手段５が２つしかなく、これら２つの第１穿孔手段５は、重力場３９内で水平面７’より下方に両方配設されている。
穿孔先端５’の間には、スペース要素５０が配設されている。
スペース要素５０は、金属片５１を備え、この金属片５１は、装填方向１８に実質的に平行に延伸し、第１端部５２によって第１調製チャンバ要素３に固定されている。
この目的のために、図４ｃから分かるように、第１端部５２は、第１調製チャンバ要素３の方向に角度を付けられ、第１調製チャンバ要素３の凹所部（ｒｅｃｅｓｓ）５５に固定して締め付けられる。
金属片５１の第２端部５３は、第１調製チャンバ要素３に固定されない自由端部である。
金属片５１は、第２調製チャンバ要素４の方向に第１端部５２と第２端部５３との間に湾曲部を有している。
この湾曲部は、挿入動作中に２つの穿孔先端５’にポーションカプセル２が付着したままにならないように、装填位置１７において第１調製チャンバ要素３と第２調製チャンバ要素４との間に挿入されるポーションカプセル２を第１調製チャンバ要素３から間隔を置くように働く。
調製チャンバ１’の閉鎖中、金属片５１は、抽出位置１１において第１調製チャンバ要素３と接触状態（図示せず）になるとともに、抽出動作を損なわないように、ポーションカプセル２によって第１調製チャンバ要素３に対して押圧される。
この場合、自由な第２端部５３は、重力場３９に沿って移動する。
さらに、スペース要素５０は、通路穴５４を有し、この通路穴５４は、第１調製チャンバ要素３の給水チャネル３１に実質的に対向し、抽出液体をポーションカプセル２に供給し得る。
【００５７】
図５ａから図５ｃは、本発明の第５実施例による調製装置１の第１調製チャンバ要素３の概略図を示し、第５実施例による調製装置１は、図４ａから図４ｄに示されている第４実施例による調製装置１と実質的に同等であり、第４実施例とは対照的に、調製装置１は、スペース要素５０を有し、このスペース要素５０は、湾曲部を有しないが、その代わりに自由な第２端部５３が装填位置１７において第１調製チャンバ要素３から斜めに第２調製チャンバ要素４の方向に突出している。
装填位置１７から抽出位置１１に第１調製チャンバ要素３を移す間、第２端部５３は、スペース要素５０が実質的に全長に沿って第１調製チャンバ要素３と接触した状態（同図には図示せず）になるように、第１調製チャンバ要素３の移動方向に枢動する。
【００５８】
図６は、本発明の第６実施例による調製装置１の第１調製チャンバ要素３の概略図を示し、第６実施例による調製装置１は、図１ａから図１ｋに示されている第１実施例による調製装置１と実質的に同等であるとともに、図１ａから図１ｋに示す調製装置１において使用可能であり、第１実施例とは対照的に、第６実施例による第１調製チャンバ要素３は、水平面７’より下方に配設された５つの第１穿孔手段５を有している。
【００５９】
図７は、本発明の第７実施例による調製装置１の第１調製チャンバ要素３の概略図を示し、第７実施例による調製装置１は、図１ａから図１ｋに示されている第１実施例による調製装置１と実質的に同等であるとともに図１ａから図１ｋに示す調製装置１において使用可能であり、第１実施例とは対照的に、第１調製チャンバ要素３には第１穿孔手段５が１つしかない。
この場合、第１穿孔手段５は、供給開口２０と第１穿孔手段５との間に最大距離をもたらし、それによって、調製装置１の使用者が負傷する危険性を低減するために、実質的に重力場３９に沿って第１調製チャンバ要素３の下縁領域に配設されている。
【００６０】
図８は、本発明の第８実施例による調製装置１の第１調製チャンバ要素３の概略図を示し、第８実施例による調製装置１は、図１ａから図１ｋに示されている第１実施例による調製装置１と実質的に同等であるとともに、図１ａから図１ｋに示す調製装置１において使用可能であり、第１実施例とは対照的に、第１調製チャンバ要素３は、穿孔先端５’の形態の複数の第１穿孔手段５を有し（第１穿孔手段５は全部で７つ）、第２調製チャンバ要素４に対面する第１調製チャンバ要素３のベース面９上の中心点２０１の周りに複数の第１穿孔手段５が配設されている。
この場合、第１穿孔手段５は、水平面７より下方に配設されるだけでなく、むしろ中心点２０１の周りに約２３０度の角度範囲２０２に実質的に一定の半径を有するように配設されている。
【００６１】
本発明の調製装置の可能な実施態様を以下に記載する。
第１の態様の調製装置１は、第１調製チャンバ要素３と、第２調製チャンバ要素４とを備え、第１調製チャンバ要素３と第２調製チャンバ要素４とが互いに間隔を空けて設けられた装填位置１７と、第１調製チャンバ要素３と第２調製チャンバ要素４とが閉鎖された調製チャンバ１’を形成する抽出位置１１との間で、第１調製チャンバ要素３、および／または、第２調製チャンバ要素４が軸方向６に移動可能でありポーションカプセル２を抽出するための調製装置１において、第１調製チャンバ要素３が、ポーションカプセル２を穿孔する少なくとも１つの第１穿孔手段５を有し、穿孔手段が、地球の重力場３９に沿って地球の重力場３９に対して直角に伸びるとともに調製チャンバ１’の中心を通る水平面７’より下方に配設されていることを特徴とする。
第２の態様の調製装置１は、第１調製チャンバ要素３が、第２調製チャンバ要素４に対面するベース面９を有し、第１調製チャンバ要素３が、複数の第１穿孔手段５を有し、第１穿孔手段５が、ベース面９の中心点２０１の周りに一定の半径を有する水平面７’より下方に配設されていることを特徴とする。
第３の態様の調製装置１は、第１調製チャンバ要素３が、ポーションカプセル２を穿孔する複数の第１穿孔手段５を有し、第１穿孔手段５が、中心点２０１の周りで最大２３０度の角度範囲２０２内に配設されていることを特徴とする。
第４の態様の調製装置１は、第１調製チャンバ要素３が、少なくとも４つの第１穿孔手段５を備えていることを特徴とする。
第５の態様の調製装置１は、第１調製チャンバ要素３が、ポーションカプセル２を穿孔する１つの第１穿孔手段５を有していることを特徴とする。
第６の態様の調製装置１は、装填位置１７のとき、ポーションカプセル２が、第１調製チャンバ要素３と第２調製チャンバ要素４との間に装填方向１８に供給され、装填方向１８の向きが、水平面７’に対して直角であることを特徴とする。
第７の態様の調製装置１は、調製装置１が、第１調製チャンバ要素３、および／または、第２調製チャンバ要素４が装填位置１７から抽出位置１１に移動すると、第１調製チャンバ要素３の複数の第１穿孔手段５によって、ポーションカプセル２が連続して穿孔されるように構成されていることを特徴とする。
第８の態様の調製装置１は、調製装置１が、第１調製チャンバ要素３、および／または、第２調製チャンバ要素４が装填位置１７から抽出位置１１に移動すると、ポーションカプセル２が、まず、第１調製チャンバ要素３の少なくとも１つの第１穿孔手段５によって穿孔された後に、第２調製チャンバ要素４の少なくとも１つの第２穿孔手段８によって穿孔されることを特徴とする。
第９の態様の調製装置１は、装填位置１７のとき、ポーションカプセル２が、第１調製チャンバ要素３と第２調製チャンバ要素４との間に装填方向１８に供給され、第１調製チャンバ要素３が、ポーションカプセル２を穿孔する少なくとも１つの第１穿孔手段５を有し、少なくとも１つの第１穿孔手段５の切刃１９の向きが、装填方向１８に対して直角であることを特徴とする。
第１０の態様の調製装置１は、少なくとも１つの第１穿孔手段５が、第１調製チャンバ要素３から第２調製チャンバ要素４の方向に突出する穿孔先端５’として構成されていることを特徴とする。
第１１の態様の調製装置１は、少なくとも１つの穿孔先端５’が、矩形、または、屈曲構成の線形の断面３６を軸方向６に有し、および／または、少なくとも１つの穿孔先端５’が、軸方向６に対して直角に三角形のプロファイルを有していることを特徴とする。
第１２の態様の調製装置１は、第１調製チャンバ要素３が、第２調製チャンバ要素４に対面する端側に、中央表面領域２３を備えている穿孔要素２２を有し、中央表面領域２３が、中央表面領域２３の円周に沿って少なくとも１つの第１穿孔手段５に一体に接続されていることを特徴とする。
第１３の態様の調製装置１は、穿孔要素２２が、中央表面領域２３に対して少なくとも１つの第１穿孔手段５を曲げることによって設けられていることを特徴とする。
第１４の態様の調製装置１は、第１調製チャンバ要素３と穿孔要素２２とが、少なくとも１つの第１穿孔手段５によって穿孔されたポーションカプセル２に抽出液体を供給するための複数の出水口２４を中央表面領域２３に有し、１つの出水口２４が、少なくとも１つの第１穿孔手段５に隣接して配設されていることを特徴とする。
第１５の態様の調製装置１は、第２調製チャンバ要素４が、水平面７’に対して非対称的に配設された少なくとも１つの第２穿孔手段８を有し、第２穿孔手段８が、水平面７’より下方に配設されていることを特徴とする。
第１６の態様の調製装置１は、第２穿孔手段８が、貫通先端８’を備え、この貫通先端８’が、第２調製チャンバ要素４から第１調製チャンバ要素３の方向に突出し、少なくともサブ領域にわたって側溝が設けられることを特徴とする。
第１７の態様の調製装置１は、第２穿孔手段８が、ラッチ固定、および／または、ねじ固定によって取り外し可能に、第２調製チャンバ要素４に連結されていることを特徴とする。
第１８の態様の調製装置１は、第２調製チャンバ要素４が、ポーションカプセル２を受ける中空ベル形要素１４を備え、中空ベル形要素１４のベース領域１５が、第２穿孔手段８によって穿孔されたポーションカプセル２から抽出液体を出すための少なくとも１つの凹み１６を備え、第２穿孔手段８が、凹み１６の領域に配設され、凹み１６が、調製チャンバ１’から抽出液体を除去するための排液チャネル１３につながっていることを特徴とする。
第１９の態様の調製装置１は、第１調製チャンバ要素３が、ポーションカプセル２を穿孔する少なくとも１つの第１穿孔手段５を有し、調製装置１が、スペース要素５０を有し、このスペース要素５０が、装填位置１７のとき第１調製チャンバ要素３と第２調製チャンバ要素４との間にポーションカプセル２が供給されると、ポーションカプセル２と少なくとも１つの第１穿孔手段５との間の機械的接触がスペース要素５０によって防止されるように構成されていることを特徴とする。
第２０の態様の調製装置１は、第１調製チャンバ要素３が、穿孔先端５’の形態の２つの第１穿孔手段５を備え、スペース要素５０が、２つの穿孔先端５’の間に少なくとも部分的に配設され、装填位置１７のとき、スペース要素５０が、少なくとも２つの穿孔先端５’の間の領域において第１調製チャンバ要素３から間隔を空けて設けられ、２つの穿孔先端５’が、地球の重力場３９内に水平面７’より下方に配設されていることを特徴とする。
第２１の態様の調製装置１は、スペース要素５０が、第１調製チャンバ要素３に固定され、第２調製チャンバ要素４の方向に少なくとも部分的に弾性的にプレテンションがかけられること、および／または、スペース要素５０が、抽出位置１１のときスペース要素５０が第１調製チャンバ要素３を完全に担持するように構成されていることを特徴とする。
第２２の態様の調製装置１は、スペース要素５０が、金属片５１を備え、この金属片５１が、第１調製チャンバ要素３に固定された第１端部５２と、自由端である第２端部５３とを有し、装填位置１７のとき、第２端部５３が、第１調製チャンバ要素３から斜めに第２調製チャンバ要素４の方向に突出し、または、装填位置１７のとき、第１調製チャンバ要素３の表面を担持し、第１調製チャンバ要素３の表面が、第２調製チャンバ要素４と対面することを特徴とする。
第２３の態様の調製装置１は、金属片５１が、第２調製チャンバ要素４の方向に湾曲部を有し、および／または、金属片５１が、通路穴５４を有し、および／または、金属片５１が、装填方向１８に平行に配向されていることを特徴とする。
第２４の態様の調製装置１の制御方法は、第１方法ステップで、ポーションカプセル２が、第１調製チャンバ要素３と第２調製チャンバ要素４との間に挿入され、次の第２方法ステップで、第１調製チャンバ要素３、および／または、第２調製チャンバ要素４が、軸方向６に装填位置１７から抽出位置１１に移動する上記第１から第２３の態様の調製装置１の制御方法において、第２方法ステップ中に、ポーションカプセル２が、まず、第１調製チャンバ要素３の少なくとも１つの第１穿孔手段５によって水平面７’より下方で穿孔され、引き続き、ポーションカプセル２が、第２調製チャンバ要素４の少なくとも１つの第２穿孔手段８によって穿孔されることを特徴とする。
第２５の態様の調製装置１の制御方法は、第２方法ステップ中、ポーションカプセル２が、第１調製チャンバ要素３の複数の第１穿孔手段５によって連続して穿孔されることを特徴とする。
第２６の態様の調製装置１の制御方法は、第２方法ステップで、ポーションカプセル２が、１つの第１穿孔手段５によって穿孔されることを特徴とする。
第２７の態様の調製装置１の制御方法は、ポーションカプセル２のカプセルカバー２８が、少なくとも１つの第１穿孔手段５によって穿孔され、ポーションカプセル２のカプセルベース２９が、第２穿孔手段８によって穿孔されることを特徴とする。
第２８の態様の調製装置１の制御方法は、第１方法ステップで、ポーションカプセル２が、第１調製チャンバ要素３と第２調製チャンバ要素４との間に供給されている間、スペース要素５０によって少なくとも部分的に案内され、ポーションカプセル２と少なくとも１つの第１穿孔手段５との間の機械的接触がスペース要素５０によって防止されるように、スペース要素５０が、第１調製チャンバ要素３に固定されていることを特徴とする。
第２９の態様の調製装置１の制御方法は、第１方法ステップ中、スペース要素５０が、第１調製チャンバ要素３から第２調製チャンバ要素４の方向に少なくとも部分的に突出し、第２方法ステップで、スペース要素５０が、第１調製チャンバ要素３と接触することを特徴とする。
第３０の態様の調製装置１の制御方法は、第２方法ステップで、ポーションカプセル２が、中心点２０１の周りで最大２３０度の角度範囲２０２内で穿孔されることを特徴とする。
第３１の態様の調製装置１の制御方法は、第３方法ステップで、水平面７’より下方で、および／または、中心点２０１の周りで最大２３０度の角度範囲２０２内でポーションカプセル２内に抽出液体が投入されることを特徴とする。
第３２の態様の調製装置１の使用は、温かい飲料である、コーヒー、牛乳、紅茶、および／または、チョコレート飲料を調製するための上記第１から第２３の態様の調製装置１の使用であることを特徴とする。
【符号の説明】
【００６２】
１      ・・・  調製装置
１’    ・・・  調製チャンバ
２      ・・・  ポーションカプセル
３      ・・・  第１調製チャンバ要素
４      ・・・  第２調製チャンバ要素
５      ・・・  第１穿孔手段
５’    ・・・  穿孔先端
６      ・・・  軸方向
７      ・・・  平面
７’    ・・・  水平面
８      ・・・  第２穿孔手段
８’    ・・・  貫通先端
９      ・・・  ベース面
１１    ・・・  抽出位置
１３    ・・・  排液チャネル
１４    ・・・  中空ベル形要素、受け入れ要素
１５    ・・・  ベース領域
１６    ・・・  凹み
１７    ・・・  装填位置
１８    ・・・  装填方向
１９    ・・・  切刃（ｃｕｔｔｉｎｇ  ｐｌａｎｅ）
２０    ・・・  供給開口
２１    ・・・  閉鎖要素、ピストン
２２    ・・・  穿孔要素
２３    ・・・  中央表面領域
２４    ・・・  出水口
２５    ・・・  保持手段
２６    ・・・  トグル・レバー・ジョイント
２７    ・・・  カプセルフランジ
２８    ・・・  カプセルカバー
２９    ・・・  カプセルベース
３０    ・・・  円錐台
３１    ・・・  給水チャネル
３２    ・・・  窪み
３３    ・・・  ねじ
３４    ・・・  密封リング
３５    ・・・  イジェクタ
３６    ・・・  線形断面
３８    ・・・  脚
３９    ・・・  重力場
４０    ・・・  指
４１    ・・・  側面
４２    ・・・  流れ方向
５０    ・・・  スペース要素
５１    ・・・  金属片（ｍｅｔａｌ  ｓｔｒｉｐ）
５２    ・・・  第１端部
５３    ・・・  第２端部
５４    ・・・  通路穴
５５    ・・・  凹所部（ｒｅｃｅｓｓ）
２０１  ・・・  中心点
２０２  ・・・  角度範囲
【図１ａ】
0005852102.tif 000002
【図１ｂ】
0005852102.tif 000003
【図１ｃ】
0005852102.tif 000004
【図１ｄ】
0005852102.tif 000005
【図１ｅ】
0005852102.tif 000006
【図１ｆ】
0005852102.tif 000007
【図１ｇ】
0005852102.tif 000008
【図１ｈ】
0005852102.tif 000009
【図１ｉ】
0005852102.tif 000010
【図１ｊ】
0005852102.tif 000011
【図１ｋ】
0005852102.tif 000012
【図２ａ】
0005852102.tif 000013
【図２ｂ】
0005852102.tif 000014
【図２ｃ】
0005852102.tif 000015
【図３】
0005852102.tif 000016
【図４ａ】
0005852102.tif 000017
【図４ｂ】
0005852102.tif 000018
【図４ｃ】
0005852102.tif 000019
【図４ｄ】
0005852102.tif 000020
【図５ａ】
0005852102.tif 000021
【図５ｂ】
0005852102.tif 000022
【図５ｃ】
0005852102.tif 000023
【図６】
0005852102.tif 000024
【図７】
0005852102.tif 000025
【図８】
0005852102.tif 000026